(57)【要約】【課題】安全に歩行できると共に、隣接したデッキ材の間を流れた雨水等が直接落下することを確実に防止できる建物用デッキとする。【解決手段】デッキ材取付部材１の上に下地材２を取付け、この下地材２の上に複数のデッキ材３を設け、その隣接したデッキ材３の間に押え部材４を設けてデッキ材３を下地材２に押しつけて支持するようにし、前記下地材２はビス５でデッキ材取付部材１に固着される固着部２ａと、通水溝部２ｂと、この通水溝部２ｂに設けた固定受部２ｃを備え、その固着部２ａとビス５がデッキ材３で覆われ、通水溝部２ｂが隣接したデッキ材３の間の下方に位置し、その固定受部２ｃに押え部材４を固定して隣接したデッキ材３を押しつけ支持する。【選択図】図２
2006241768.tif 000002
【特許請求の範囲】
【請求項１】
複数のデッキ材取付部材の上に亘って下地材を取付け、この下地材の上に複数のデッキ材を押え部材で取付けた建物用デッキであって、
前記下地材は、ビスでデッキ材取付部材に固着される複数の固着部と、長手方向に連続した複数の通水溝部と、この各通水溝部内に設けられ、前記押え部材が固定される複数の固定受部を有し、
前記デッキ材は幅方向両端面に突出部をそれぞれ有し、
前記押え部材は、固定受部に固定する固定部分とデッキ材の突出部に接して下地材に押しつける押え部分を有し、
前記各固着部と各ビスはデッキ材でそれぞれの上方が覆われており、
前記各通水溝部は隣接したデッキ材の間の下方にそれぞれ位置しており、
前記各押え部材の押え部分は隣接したデッキ材の間にそれぞれ位置してデッキ材の上面には突出しないことを特徴とする建物用デッキ。
【請求項２】
固定受部は、通水溝部の幅方向両側面の上下中間に設けた２つの横向部を有し、
押え部材の固定部分は、幅方向一側が一方の横向部に嵌合して固定され、幅方向他側が他方の横向部にビスで固着して固定され、
この押え部材の押え部分は、隣接した一方のデッキ材の突出部を押える一側押え片と隣接した他方のデッキ材の突出部を押える他側押え片を有し、
前記一側押え片で隣接した一方のデッキ材の突出部を押えた状態で、固定部分の幅方向他側を他方の横向部にビスで固着できるようにした請求項１記載の建物用デッキ。
【請求項３】
下地材を複数の下地材部材で構成し、
この各下地材部材は、幅方向中間に上向き凹部を長手方向に連続して有する本体と、この本体の幅方向一側面に設けた取付部と、本体の幅方向他側面に設けた取付受部と、前記上向き凹部の幅方向両側面に設けた２つの横向部を備え、
前記各下地材部材を、その取付部をビスで固着することでデッキ材取付部材上に幅方向に順次取付けられて下地材とし、
前記隣接した一方の下地材部材の取付部が、隣接した他方の下地材部材の取付受部をデッキ材取付部材上に押しつけ支持し、
前記取付部とビスがデッキ材で覆われ、前記上向き凹部が隣接したデッキ材の間の下方に位置した通水溝部で、
前記２つの横向部に押え部材の固定部分を固定し、その２つの横向部を固定受部とした請求項１記載の建物用デッキ。
【発明の詳細な説明】
【技術分野】
【０００１】
本発明は、建物に付設されたテラス、バルコニーなどの建物用デッキに関する。
【背景技術】
【０００２】
建物に付設されたテラス、バルコニーなどの建物用デッキとしては、特許文献１に開示されたものが知られている。
この建物用デッキは、根太上に複数のデッキ材を設け、この隣接したデッキ材間において根太に長尺固定部材をビスで固着し、この長尺固定部材の両側の係止部をデッキ材の連結溝に挿入して係合することで、隣接したデッキ材を根太に押しつけて固定したものである。
この建物用デッキであれば、ビスの頭部及び長尺固定部材がデッキ材の表面に突出しないので、安全に歩行できる。
【０００３】
【特許文献１】特開２００２−１４６９０１号公報
【発明の開示】
【発明が解決しようとする課題】
【０００４】
通常の建物用デッキにおいては、隣接したデッキ材の間を流れた雨水等は直接落下するが、前述した従来の建物用デッキにあっては、隣接したデッキ材の間を流れた雨水等は、長尺固定部材の溝に流れ落ち、その溝に沿って流れて排水することができる。
しかし、前述の長尺固定部材は、その溝の底部のビス挿通穴からビスを根太のビス穴に螺合して根太に固着して取付けているので、前述のように溝に沿って流れる雨水等の一部がビス挿通穴、ビス穴を通って落下したり、ビス挿通穴から長尺固定部材の下面と根太の上面との間に浸透して根太の上面から落下することがある。
このために、隣接したデッキ材の間を流れた雨水等が直接落下することを確実に防止できない。
【０００５】
本発明の目的は、安全に歩行できると共に、隣接したデッキ材の間を流れた雨水等が直接落下することを確実に防止できる建物用デッキを提供することである。
【課題を解決するための手段】
【０００６】
第１の発明は、複数のデッキ材取付部材の上に亘って下地材を取付け、この下地材の上に複数のデッキ材を押え部材で取付けた建物用デッキであって、
前記下地材は、ビスでデッキ材取付部材に固着される複数の固着部と長手方向に連続した複数の通水溝部と、この各通水溝部内に設けられ、前記押え部材が固定される複数の固定受部を有し、
前記デッキ材は幅方向両端面に突出部をそれぞれ有し、
前記押え部材は、固定受部に固定する固定部分とデッキ材の突出部に接して下地材に押しつける押え部分を有し、
前記各固着部と各ビスはデッキ材でそれぞれの上方が覆われており、
前記各通水溝部は隣接したデッキ材の間の下方にそれぞれ位置しており、
前記各押え部材の押え部分は隣接したデッキ材の間にそれぞれ位置してデッキ材の上面には突出しないことを特徴とする建物用デッキである。
【０００７】
第２の発明は、第１の発明において、固定受部は、通水溝部の幅方向両側面の上下中間に設けた２つの横向部を有し、
押え部材の固定部分は、幅方向一側が一方の横向部に嵌合して固定され、幅方向他側が他方の横向部にビスで固着して固定され、
この押え部材の押え部分は、隣接した一方のデッキ材の突出部を押える一側押え片と隣接した他方のデッキ材の突出部を押える他側押え片を有し、
前記一側押え片で隣接した一方のデッキ材の突出部を押えた状態で、固定部分の幅方向他側を他方の横向部にビスで固着できるようにした建物用デッキである。
【０００８】
第３の発明は、第１の発明において、下地材を複数の下地材部材で構成し、
この各下地材部材は、幅方向中間に上向き凹部を長手方向に連続して有する本体と、この本体の幅方向一側面に設けた取付部と、本体の幅方向他側面に設けた取付受部と、前記上向き凹部の幅方向両側面に設けた２つの横向部を備え、
前記各下地材部材を、その取付部をビスで固着することでデッキ材取付部材上に幅方向に順次取付けられて下地材とし、
前記隣接した一方の下地材部材の取付部が、隣接した他方の下地材部材の取付受部をデッキ材取付部材上に押しつけ支持し、
前記取付部とビスがデッキ材で覆われ、前記上向凹部が隣接したデッキ材の間の下方に位置した通水溝部で、
前記２つの横向部に押え部材の固定部分を固定し、その２つの横向部を固定受部とした建物用デッキである。
【発明の効果】
【０００９】
請求項１に係る発明によれば、下地材を取付けるビス、押え部材がデッキ材の上面から突出しないので、歩行者がデッキ材の上を安全に歩行できる。
また、隣接したデッキ材の間を流れた雨水等は通水溝部に流れ落ち、その通水溝部に沿って長手方向に流れると共に、その通水溝部とは別の固着部をビスで固着して下地材をデッキ材取付部材に取付けているから、通水溝部にはビス止め個所がないので、隣接したデッキ材の間を流れた雨水等が直接落下することを確実に防止できる。
【００１０】
請求項２に係る発明によれば、隣接する一方のデッキ材を下地材の上に載置した状態で押え部材の固定部分の幅方向他側を他方の横向部にビスで固着し、その後に隣接する他方のデッキ材を下地材の上に載置して押え部材の他側押え片で押えることができる。
したがって、隣接したデッキ材の間からビス止めする必要がなく、その隣接したデッキ材の間の目地幅をビス止め工具、例えばドライバーの径よりも小さくでき、ゴミが入りにくく、人が指を入れることによる怪我を防止できる。
【００１１】
請求項３に係る発明によれば、複数の下地材部材を幅方向に連続して下地材としたので下地材の全幅を複数のデッキ材による全幅に対応して任意にできるし、１つの下地材部材の幅を小さくしてアルミ押出形材を用いることができる。
また、隣接する一方の下地材部材の取付部をビスで固着することで、その取付部によって隣接する他方の下地材部材の取付受部を押しつけて支持できるから、その下地材部材の取付けが簡単である。
【発明を実施するための最良の形態】
【００１２】
図１に示すように、複数のデッキ材取付部材１の上に亘って下地材２を取付け、この下地材２の上に複数のデッキ材３を押え部材４で取付けて建物用デッキとしてある。
前記デッキ材取付部材１は所定の厚さと幅と長さを有する長尺材、例えば、矩形断面中空形状の長尺材である。
前記複数のデッキ材取付部材１は幅方向に間隔を置いて並設してある。例えば、支柱に連結した複数の桁間に亘って平行に取付けてある。
前記下地材２は各デッキ材取付部材１の上に亘って取付けてある。
前記デッキ材３は所定の厚さと幅と長さを有する長尺材で、デッキ材取付部材１の長手方向と直角方向に向けて幅方向に間隔を置いて取付けてある。
前記押え部材４は、下地材２における隣接するデッキ材３の間の位置に、そのデッキ材３の長手方向に間隔を置いてそれぞれ設けてある。
図１はデッキ材取付部材１、デッキ材３、押え部材４の配設位置関係を説明するために建物用デッキの一部分を概略的に示す平面図で、その寸法や数等は後述する具体形状と一致しないことがある。
【００１３】
図２に示すように、下地材２は固着部２ａと通水溝部２ｂと固定受部２ｃをそれぞれ複数有している。
前記固着部２ａはビス５でデッキ材取付部材１に固着され、この固着部２ａとビス５はデッキ材３で覆われて雨水等が浸入しないようにしてある。
前記通水溝部２ｂは長手方向に連続し、隣接したデッキ材３の間の下方に位置し、その隣接したデッキ材３の間を流れた雨水等が通水溝部２ｂに流れ落ちるようにしてある。
前記固定受部２ｃは通水溝部２ｂ内に設けてあり、前記押え部材４が固定される。
前記押え部材４は固定受部２ｃに固定する固定部分４ａと、押え部分４ｂを有し、その押え部分４ｂがデッキ材３の幅方向端面に設けた突出部３ａの上面に接してデッキ材３を下地材２に押しつけてデッキ材３を取付けている。
この押え部材４の押え部分４ｂは隣接するデッキ材３の間に位置し、デッキ材３の上面には突出していないので、デッキ材３上を歩行する人にとって押え部材４（押え部分４ｂ）が歩行の阻げになることがなく、安全に歩行できる。
【００１４】
図２に示す実施の形態では、下地材２は一方の支持部２ｄと他方の支持部２ｅを有する。その一方の支持部２ｄは複数のデッキ材３における一方の端部に位置するデッキ材３の突出部３ａを支持する。例えば、一方の支持部２ｄを横向きコ字状として突出部３ａが嵌合するようにする。
前記他方の支持部２ｅは複数のデッキ材３における他方の端部に位置するデッキ材３の突出部３ａを支持する。例えば押え片６をビス７で固着して取付けてある。
【００１５】
次に、各部材の具体形状をデッキ材の取付け手順とともに説明する。
図３に示すように、前記下地材２は複数の下地材部材２０により構成してある。これは、デッキ材取付部材１の長さに対向した下地材２の全幅（デッキ材取付部材１の長手方向に向う寸法）とするためと、１つの下地材部材２０の幅を小さくしてアルミ押出形材とするため等である。
この実施の形態では、下地材２は一方の端部下地材部材３０と他方の端部下地材部材４０を備えている。
なお、下地材２は全幅に亘って一体としても良い。
【００１６】
前記下地材部材２０は本体２１と、この本体２１の幅方向一側面２１ａに設けた取付部２２と、本体２１の幅方向他側面２１ｂに設けた取付受部２３と、本体２１の幅方向中間に設けた上向き凹部２４と、その上向き凹部２４の両側内面２４ａにそれぞれ設けた２つの横向部２５を有する。この下地材部材２０はアルミ押出形材であるが、それに限ることはない。
前記取付部２２は、ビス５でデッキ材取付部材１の上面に固着されて下地材部材２０の幅方向一側をデッキ材取付部材１の上面に固定すると共に、隣接する下地材部材２０の取付受部２３をデッキ材取付部材１の上面に押しつけて隣接する下地材部材２０の幅方向他側をデッキ材取付部材１の上面に固定し、さらに隣接する下地材部材２０の幅方向他側面２１ｂに当接して幅方向に位置決めする。
例えば、取付部２２は本体２１の下面２１ｃと面一に連続した取付片２２ａと、この取付片２２ａと連続した押え片２２ｂを有し、その取付片２２ａがビス５でデッキ材取付部材１の上面に固着され、押え片２２ｂが隣接する下地材部材２０の取付受部２３と幅方向他側面２１ｂに接する。
そして、取付片２２ａが前述の固着部２ａである。
【００１７】
前記取付受部２３は、例えば本体２１の下面２１ｃと面一に連続した上向きの鉤形状で、本体２１の上面２１ｄから上方に突出していない。
前記上向き凹部２４は本体２１の上面２１ｄに開口し、この上向き凹部２４が前述の通水溝部２ｂである。
前記２つの横向部２５は相対向して前述の固定受部２ｃである。
そして、下地材部材２０はデッキ材取付部材１の上面に、その長手方向一方側から他方側に向けて順次取付ける。
【００１８】
前記一方の端部下地材部材３０は、下地材部材２０の上下寸法と同一の上下寸法で、その上面３０ｄが下地材部材２０の上面（本体２１の上面２１ｄ）と面一に連続する。この上面３０ｄにほぼ鉤形の支持片３１が設けてあり、この支持片３１が前述の一方の支持部２ｄである。
この一方の端部下地材部材３０の幅方向一側面３０ａと連続して鉤形片３２が下面３０ｃよりも下方に突出して設けてある。
この一方の端部下地材部材３０の幅方向他側面３０ｂには取付受部３３と下向き係止受溝３４が形成してある。
そして、幅方向の一方の端部の下地材部材２０の押え片２２ｂが取付受部３３をデッキ材取付部材１の上面に押しつけて固定すると共に、その押え片２２ｂの上向き片が下向き係止受溝３４に係合して固定する。
つまり、一方の端部下地材部材３０の取付受部３３は下地材部材２０の取付受部２３と同一である。
【００１９】
前記他方の端部下地材部材４０は下地材部材２０の上下寸法と同一の上下寸法で、その上面４０ｄが下地材部材２０の上面（本体２１の上面２１ｄ）と面一に連続する。
この他方の端部下地材部材４０の幅方向一側面４０ａには、ビス４１でデッキ材取付部材１の上面に固着される取付部４２が設けてある。この取付部４２は前述の下地材部材２０の取付部２２と同一で、取付片４２ａと押え片４２ｂを有し、幅方向の他方の端部の下地材部材２０の幅方向他側をデッキ材取付部材１の上面に押しつけて固定する。
この他方の端部下地材部材４０の幅方向他側面４０ｂと連続して鉤形片４３が下面４０ｃよりも下方に突出して設けてある。この幅方向他側面４０ｂには突出片４４が設けてある。
【００２０】
前述の複数の下地材部材２０と両方の端部下地材部材３０，４０をデッキ材取付部材１の上面に並べて載置し、それぞれをビス５，４１で固着して取付ける。
【００２１】
図４に示すように、前記押え部材４は下横向部５０と立上り部５１と上横向部５２でＩ字形状で、その下横向部５０の幅方向一側に横向溝５３を有し、この横向溝５３を前述した一方の横向部２５に嵌合して固定すると共に、この下横向部５０の幅方向他側を前述した他方の横向部２５の上面にビス５４で固着して取付ける。つまり、この下横向部５０が前述の固定部分４ａである。
前記上横向部５２は立上り部５１を境として幅方向両側に突出して一側押え片５２ａと他側押え片５２ｂを有し、前述の押え部分４ｂである。
【００２２】
前記デッキ材３は図４に示すように、幅方向両端面の上下中間に凹部３ｂが長手方向に連続して有し、この凹部３ｂによって下面３ｃと連続した突出部３ａ、上面３ｄと連続した突出部３ａを形成して上下対称形状である。
このデッキ材３は再生木によって作製してあるが、これに限ることはない。
【００２３】
図４に示すように、一方の端部下地材部材３０ｄの上面３０ｄと隣接した下地材部材２０の上面（本体２１の上面２１ｄ）に亘って１つのデッキ材３を載置し、そのデッキ材３の幅方向一方の突出部３ａを支持片３１に嵌合して支持し、幅方向他方の突出部３ａ（幅方向他端面）を下地材部材２０の上向き凹部２４の上方に位置する。
図４に仮想線で示すように押え部材４を斜めの姿勢として横向溝５３を一方の横向部２５に嵌合し、その嵌合部分を支点として下方に揺動して下横向部５０の幅方向他側を他方の横向部２５の上面に接する。
そして、ビス５４で固着する。
これによって、上横向部５２の幅方向一側の一側押え片５２ａがデッキ材３の突出部３ａの上面に接し、そのデッキ材３の幅方向他方を下地材（本体２１の上面２１ｄ）の上面に押しつけて支持する。
【００２４】
図５に示すように、次に取付けるデッキ材３を下地材部材２０の上面（本体２１の上面２１ｄ）に沿って、前述のように支持して取付けた一方の端部のデッキ材３に向けて幅方向に移動する。
そして、そのデッキ材３の幅方向一側の突出部３ａを押え部材４の上向横部５２の他側押え片５２ｂの下に押し込んで、その突出部３ａを立上り部５１に突き当てて幅方向に位置決めする。
これによって、そのデッキ材３の幅方向他側の突出部３ａが隣接した下地材部材２０の上向き凹部２４の上方に位置する。
この幅方向他側の突出部３ａを押え部材４で前述のように支持する。
【００２５】
前述のように、押え部材４を固定するビス５４を隣接する一方のデッキ材３を取付けた状態で螺合できるから、隣接するデッキ材３の間の目地幅をドライバーなどのビス止め工具の径よりも小さくできる。
したがって、隣接したデッキ材３の間からゴミが入りずらいし、人が指を入れることによる怪我を防止できる。
【００２６】
前記押え部材４はビス５４で固定するものに限ることはなく、例えば、下横向部５０の幅方向両側に横向溝をそれぞれ形成し、この各横向溝を２つの横向部２５にそれぞれ嵌合することで固定しても良い。
【００２７】
そして、図２に示すように、幅方向の他方の端部のデッキ材３の幅方向一側の突出部３ａを押え部材４の他側押え片５２ｂで支持した後に、他方の端部下地材部材４０の突出片４４に押え片６をビス７で固着し、その突出片４４でデッキ材３の幅方向他側の突出部３ａを支持する。
【００２８】
この実施の形態では、デッキ材取付部材１の長手方向両端部にブラケット６０をそれぞれ取付け、このブラケット６０に雨樋６１がそれぞれ取付けてある。
【００２９】
前述した図２においては、下地材部材２０が２つで、デッキ材３が３つであるが、これに限ることはなく、下地材部材２０を３以上で、デッキ材３を４つ以上としても良いことは勿論である。
【００３０】
また、下地材２はデッキ材取付部材１の長手方向全長に渡って連続して取付けてあるが、この下地材２をデッキ材取付部材１の長手方向に間隔を置いて取付けても良い。
例えば、下地材部材２０の幅方向両側に固着部２ａを設けてビス５でデッキ材取付部材１の上面にそれぞれ固着して取付け、その上向き凹部２４（通水溝部２ｂ）を隣接したデッキ材３の間に位置させる。
【図面の簡単な説明】
【００３１】
【図１】建物用デッキの一部分を示す概略平面図である。
【図２】建物用デッキの取付け状態の断面図である。
【図３】下地材を取付けた状態の断面図である。
【図４】１つのデッキ材と１つの押え部材を取付けた状態の断面図である。
【図５】２つ目のデッキ材を取付ける状態の断面図である。
【符号の説明】
【００３２】
１…デッキ材取付部材，２…下地材，２ａ…固着部，２ｂ…通水溝部，２ｃ…固定受部，３…デッキ材，３ａ…突出部，４…押え部材，４ａ…固定部分，４ｂ…押え部分，５…ビス，２０…下地材部材，２１…本体，２１ａ…幅方向一側面，２１ｂ…幅方向他側面，２２…取付部，２３…取付受部，２４…上向き凹部，２５…横向部，５０…下横向部，５２…上横向部，５２ａ…一側押え片，５２ｂ…他側押え片，５４…ビス。
【図１】
2006241768.tif 000003
【図２】
2006241768.tif 000004
【図３】
2006241768.tif 000005
【図４】
2006241768.tif 000006
【図５】
2006241768.tif 000007